(57)【特許請求の範囲】
【請求項１】
レンズを備えた移動体と、該移動体の外側に配置された支持体と、前記移動体をレンズ光軸方向に磁気駆動するコイルおよびマグネットを備えた磁気駆動機構と、前記移動体と前記支持体とを接続するバネ部材と、該バネ部材とは別体からなり、当該バネ部材を介して前記コイルに電気的に接続された給電端子と、を有するレンズ駆動装置において、
前記支持体は、前記移動体に対して光軸方向後側に設けられたベースと、該ベースの光軸方向前側および当該ベースの径方向外側に被さって前記移動体を覆うヨークと、を有し、
前記給電端子は、前記ヨークの内側で前記ベースの光軸方向前側に配置された内部端子部と、該内部端子部から光軸方向後側に向かって折れ曲がって前記ベースの外側面に沿って延在して前記ヨークの後側端縁から外側に引き出された端子延在部と、を備え、
前記内部端子部は、前記バネ部材が電気的に接続された接続部分と、前記ベースの光軸方向前側に固定された固定部分と、を備え、
前記ベースの光軸方向前側には突起が形成され、
前記固定部分には、前記突起が嵌る穴が形成されており、
前記固定部分は、前記突起が前記穴に嵌った状態で前記ベースの光軸方向前側に固定され、
前記端子延在部は、前記ベースの前記外側面に当接して径方向で位置決めされていることを特徴とするレンズ駆動装置。
【請求項２】
前記ベースの外側面には、径方向内側に凹んだ溝状凹部が形成されており、
前記端子延在部は、前記溝状凹部内で延在しているとともに、当該溝状凹部において径方向内側に位置する底部に当接して径方向で位置決めされていることを特徴とする請求項１に記載のレンズ駆動装置。
【請求項３】
前記端子延在部に対して径方向外側には、当該端子延在部との間に隙間を介して前記ヨークの後側端縁が対向し、
前記隙間は、接着剤により封止されていることを特徴とする請求項１または２に記載のレンズ駆動装置。
【請求項４】
前記ベースの外側面には、前記隙間に対して前記ヨークの後側端縁が延在する方向で隣り合う位置で当該ヨークの後側端縁に沿って延在する接着剤充填溝を構成する段部が形成されており、
前記接着剤は、前記隙間を封止する部分と繋がるように前記接着剤充填溝に充填されていることを特徴とする請求項３に記載のレンズ駆動装置。
【請求項５】
前記端子延在部は、前記ヨークの後側端縁に沿う方向に延在する第１延在部と、該第１延在部の先端部から光軸方向後側に向けて屈曲して延在する第２延在部と、を備え、
前記接着剤充填溝は、前記第１延在部と前記第２延在部との屈曲部分の内側まで延在していることを特徴とする請求項４に記載のレンズ駆動装置。
【発明の詳細な説明】
【技術分野】
【０００１】
本発明は、レンズを備えた移動体を光軸方向に駆動するレンズ駆動装置に関するものである。
【背景技術】
【０００２】
カメラ付き携帯電話機やデジタルカメラ等に搭載されるレンズ駆動装置は、レンズを備えた移動体と、この移動体の外側に配置された支持体と、移動体をレンズ光軸方向に磁気駆動するコイルおよびマグネットを備えた磁気駆動機構とを有している。ここで、支持体は、移動体に対して光軸方向後側で撮像素子を保持するベースと、ベースに対して光軸方向前側で被さって移動体を覆うヨークとを備えている。
【０００３】
かかるレンズ駆動装置は、コイルに給電するための給電端子を有しており、給電端子は、ヨークの内側に配置された内部端子部と、内部端子からヨークの外側まで延在する端子延在部とを備えている。かかる給電端子をヨークの外側まで延在させる際、ベースに被さるヨークと給電端子との短絡を回避する必要がある。
【０００４】
そこで、光軸方向に貫通するスリットをベースに設けておき、かかるスリット内に端子延在部を通して端子延在部をヨークの外側まで延在させた構造が提案されている（特許文献１参照）。
【先行技術文献】
【特許文献】
【０００５】
【特許文献１】特開２００９−１４８９０号公報
【発明の概要】
【発明が解決しようとする課題】
【０００６】
しかしながら、ベースに設けたスリット内に給電端子を通した構成の場合には、レンズ駆動装置を組み立てる際に給電端子をスリット内に通す必要があるため、組立に多大な手間がかかるという問題点がある。また、ベースに設けたスリット内に給電端子を通した構成の場合には、給電端子をスリットに圧入する際にスリット内壁が擦れて粉が発生し、かかる粉が異物としてレンズや撮像素子に付着してしまうという問題点もある。さらに、スリットについてはベースの外側面から所定の寸法分だけ離間した位置に設ける必要があるため、ベースの外側面からみてかなり奥まった箇所に端子延在部が引き出されることになり、端子延在部ヘのハンダ付けに多大な手間がかかるという問題点もある。
【０００７】
以上の問題点に鑑みて、本発明の課題は、ベースにスリットを設けずに給電端子をヨークの内側から外側まで引き出すことにより、組立工程や給電端子へのハンダ付け工程の効率化を図ることができるとともに、ヨークの内側への異物の侵入を防止することのできるレンズ駆動装置を提供することにある。
【課題を解決するための手段】
【０００８】
上記課題を解決するために、本発明は、レンズを備えた移動体と、該移動体の外側に配置された支持体と、前記移動体をレンズ光軸方向に磁気駆動するコイルおよびマグネットを備えた磁気駆動機構と、前記移動体と前記支持体とを接続するバネ部材と、該バネ部材とは別体からなり、当該バネ部材を介して前記コイルに電気的に接続された給電端子と、を有するレンズ駆動装置において、前記支持体は、前記移動体に対して光軸方向後側に設けられたベースと、該ベースの光軸方向前側および当該ベースの径方向外側に被さって前記移動体を覆うヨークと、を有し、前記給電端子は、前記ヨークの内側で前記ベースの光
軸方向前側に配置された内部端子部と、該内部端子部から光軸方向後側に向かって折れ曲がって前記ベースの外側面に沿って延在して前記ヨークの後側端縁から外側に引き出された端子延在部と、を備え、前記内部端子部は、前記バネ部材が電気的に接続された接続部分と、前記ベースの光軸方向前側に固定された固定部分と、を備え、前記ベースの光軸方向前側には突起が形成され、前記固定部分には、前記突起が嵌る穴が形成されており、前記固定部分は、前記突起が前記穴に嵌った状態で前記ベースの光軸方向前側に固定され、前記端子延在部は、前記ベースの前記外側面に当接して径方向で位置決めされていることを特徴とする。
【０００９】
本発明において、給電端子は、ベースの外側面に沿って延在してヨークの後側端縁から外側に引き出された端子延在部を備え、かかる端子延在部は、ベースの外側面に当接して径方向で位置決めされている。かかる構成によれば、給電端子をベースのスリット内に通す構成と違って、レンズ駆動装置の組立時に多大な手間を必要としないので、レンズ駆動装置の組立工程を効率よく行なうことができる。また、給電端子をスリット内に圧入する構成と違って、バリの削り屑等の異物が発生しないので、異物がレンズ等に付着する等の不具合の発生を防止することができる。また、給電端子をベースのスリット内に通す構成と違って、ベースの外側面に近い位置に端子延在部が位置するため、端子延在部と配線部材とのハンダ付けを効率よく行なうことができる。さらに、端子延在部は、ベースの外側面に当接して径方向で位置決めされているため、端子延在部の近傍にヨークが位置する場合でも、端子延在部とヨークとの間に隙間を確実に確保でき、端子延在部とヨークとが短絡することがない。
【００１０】
本発明において、前記ベースの外側面には、径方向内側に凹んだ溝状凹部が形成されており、前記端子延在部は、前記溝状凹部内で延在しているとともに、当該溝状凹部において径方向内側に位置する底部に当接して径方向で位置決めされていることが好ましい。かかる構成によれば、ヨークを大型化しなくても、給電端子をヨークと短絡させることなく外部まで延在させることができる。また、端子延在部が溝状凹部内で延在しているため、レンズ駆動装置の小型化を図ることができる。
【００１１】
本発明において、前記端子延在部に対して径方向外側には、当該端子延在部との間に隙間を介して前記ヨークの後側端縁が対向し、前記隙間は、接着剤により封止されていることが好ましい。かかる構成によれば、給電端子とヨークとの短絡を阻止するための隙間を介してヨークの内部に異物が侵入することを接着剤によって防止することができる。また、給電端子とヨークとの短絡を接着剤によって阻止することもできる。
【００１２】
本発明において、前記ベースの外側面には、前記隙間に対して前記ヨークの後側端縁が延在する方向で隣り合う位置で当該ヨークの後側端縁に沿って延在する接着剤充填溝を構成する段部が形成されており、前記接着剤は、前記隙間を封止する部分と繋がるように前記接着剤充填溝に充填されていることが好ましい。かかる構成によれば、隙間内と接着剤充填溝内とで繋がるように接着剤を充填するため、隙間の端部等といった接着剤で封止しにくい個所であっても接着剤によって確実に封止することができる。従って、給電端子とヨークの後側端縁との隙間からヨークの内部に異物が侵入することを確実に防止することができる。
【００１３】
本発明において、前記端子延在部は、前記ヨークの後側端縁に沿う方向に延在する第１延在部と、該第１延在部の先端部から光軸方向後側に向けて屈曲して延在する第２延在部と、を備え、前記接着剤充填溝は、前記第１延在部と前記第２延在部との屈曲部分の内側まで延在していることが好ましい。かかる構成によれば、屈曲部分の内側等といった接着剤を充填しにくい個所であっても接着剤を充填することができる。従って、給電端子とヨークの後側端縁との隙間からヨークの内部に異物が侵入することを確実に防止することができる。
【発明の効果】
【００１４】
本発明において、給電端子は、ベースの外側面に沿って延在してヨークの後側端縁から外側に引き出された端子延在部を備え、かかる端子延在部は、ベースの外側面に当接して径方向で位置決めされている。このため、給電端子をベースのスリット内に通す構成と違って、レンズ駆動装置の組立時に多大な手間を必要としないので、レンズ駆動装置の組立工程を効率よく行なうことができる。また、給電端子をスリット内に圧入する構成と違って、バリの削り屑等の異物が発生しないので、異物がレンズ等に付着する等の不具合の発生を防止することができる。また、給電端子をベースのスリット内に通す構成と違って、ベースの外側面に近い位置に端子延在部が位置するため、端子延在部ヘのハンダ付けを効率よく行なうことができる。それ故、給電端子へのハンダ付け工程を効率よく行なうことができる。さらに、端子延在部は、ベースの外側面に当接して径方向で位置決めされているため、端子延在部の近傍にヨークが位置する場合でも、端子延在部とヨークとの間に隙間を確実に確保でき、端子延在部とヨークとが短絡することがない。
【００１５】
本発明において、端子延在部と、端子延在部に対して径方向外側に位置するヨークの後側端縁との間の隙間が接着剤により封止されている場合、かかる隙間を介してヨークの内部に異物が侵入することを接着剤によって防止することができる。また、給電端子とヨークとの短絡を接着剤によって阻止することもできる。
【図面の簡単な説明】
【００１６】
【図１】本発明を適用したレンズ駆動装置の外観を示す説明図である。
【図２】本発明を適用したレンズ駆動装置の分解斜視図である。
【図３】本発明を適用したレンズ駆動装置に用いた各部材の説明図である。
【図４】本発明を適用したレンズ駆動装置の縦断面図である。
【図５】本発明を適用したレンズ駆動装置におけるベースへの給電端子の搭載構造を示す説明図である。
【図６】本発明を適用したレンズ駆動装置におけるベースへの給電端子の搭載部分を斜め前方からみた様子を示す斜視図である。
【図７】本発明を適用したレンズ駆動装置におけるベースへの給電端子の搭載部分を斜め後方からみた様子を示す斜視図である。
【発明を実施するための形態】
【００１７】
以下、本発明を実施するための形態について、図面を参照しながら説明する。なお、以下に説明するレンズ駆動装置は、カメラ付き携帯電話機の他にも、様々な電子機器に取り付けることが可能である。例えば、薄型のデジタルカメラ、ＰＨＳ、ＰＤＡ、バーコードリーダ、監視カメラ、車の背後確認用カメラ、光学的認証機能を有するドア等に用いることができる。また、以下に参照する図面において、互いに直交する３方向をＸ方向、Ｙ方向およびＺ方向とし、Ｚ方向を光軸に沿う方向として説明する。また、以下に参照する図面において、Ｘ方向、Ｙ方向およびＺ方向の一方側を＋Ｘ、＋Ｙ、＋Ｚとし、他方側を−Ｘ、−Ｙ、−Ｚとする。さらに、光軸方向において、物体が位置する側を光軸方向前側とし、像が形成される側を光軸方向後側として説明する。
【００１８】
（全体構成）
図１は、本発明を適用したレンズ駆動装置の外観を示す説明図であり、図１（ａ）、（ｂ）は各々、レンズ駆動装置を前側の斜め上方からみた斜視図、および後側の斜め下方からみた斜視図である。図２は、本発明を適用したレンズ駆動装置の分解斜視図であり、図３は、本発明を適用したレンズ駆動装置に用いた各部材の説明図であり、図３（ａ）、（ｂ）は、レンズ駆動装置をさらに細かく分解した様子を示す分解斜視図、およびベースに第１バネ部材と給電端子とを搭載した様子を示す斜視図である。図４は、本発明を適用したレンズ駆動装置の縦断面図である。なお、図２〜図４では、レンズやレンズホルダ等の図示を省略してある。
【００１９】
図１において、本形態のレンズ駆動装置１０は、カメラ付き携帯電話機等に用いられる薄型カメラにおいてレンズ１２１を光軸方向Ｌに沿って被写体（物体側）に近づくＡ方向（上方／前側）、および被写体とは反対側（後側／撮像素子６０が配置されている側）に近づくＢ方向（下方／後側）の双方向に移動させるためのものであり、略直方体形状を有している。
【００２０】
図２〜図４に示すように、レンズ駆動装置１０は、概ね、図１（ａ）に示すレンズ１２１および固定絞り（図示せず）を直接、あるいは円筒状のレンズホルダ１２０を介して一体に保持した略円筒状のスリーブ１５を備えた移動体３と、この移動体３を光軸方向Ｌに沿って磁気駆動する磁気駆動機構５と、磁気駆動機構５および移動体３が搭載された支持体２とを有している。
【００２１】
本形態において、支持体２は、光軸方向Ｌ後側で撮像素子６０やＩＲフィルタを保持するためのベース１９と、ベース１９に対して光軸方向Ｌ前側に配置されたヨーク１１と、ヨーク１１の前板部１１１の下面に固着された矩形枠状のバネホルダ１８とを備えている。
【００２２】
ベース１９の中央には、撮像素子６０に対する光路を確保する矩形の開口部１９０が形成されており、かかる開口部１９０は、ベース１９を光軸方向Ｌで貫通している。また、バネホルダ１８にも開口部１８０が形成されている。従って、撮像素子６０は、レンズ１２１を介して入射した光を受光することができる。ここで、撮像素子６０は、ベース１９よりもさらに後側で開口部１９０から外れた位置に配置される場合がある他、開口部１９０の内側に配置されることもある。
【００２３】
ヨーク１１は、矩形の前板部１１１と、側板部１１２、１１３、１１４、１１５からなる角筒状胴部１１７を備えており、前板部１１１の中央には、被写体からの反射光をレンズ１２１に取り込むための円形の入射窓１１０が形成されている。また、前板部１１１では、その対角線上に、入射窓１１０から半径方向外側に向けて切り欠き１１１ａ、１１１ｂ、１１１ｃ、１１１ｄが形成されており、その結果、前板部１１１の辺部に相当する部分は、半径方向内側に突出した張り出し部１１１ｇ、１１１ｈ、１１１ｉ、１１１ｊになっている。ヨーク１１の角筒状胴部１１７には、レンズ駆動装置１０を機器本体に搭載する際にフックが係合する切り欠き１１７ａが形成されている。
【００２４】
ヨーク１１は、角筒状胴部１１７が移動体３の周りを囲んだ状態に配置されており、角筒状胴部１１７の４つの角部分の内側には、三角柱状のマグネット１７が各々固着されている。ヨーク１１は、鋼板等の強磁性板からなり、マグネット１７に対するバックヨークとして機能する。
【００２５】
マグネット１７は、スリーブ１５の外周面に巻回された円筒状のコイル１４１、１４２に対して外周側で対向し、磁気駆動機構５を構成している。４つのマグネット１７はいずれも、内面と外面が異なる極に着磁されている。本形態では、４つのマグネット１７は各々、２つのマグネット片を光軸方向Ｌに重ねて配置した構成を備えている。
【００２６】
支持体２と移動体３とは、第１バネ部材３１および第２バネ部材３２からなる２枚のバネ部材によって接続されている。第１バネ部材３１および第２バネ部材３２は双方とも、ベリリウム銅等からなる金属製の薄板から形成された板バネ状のジンバルバネである。
【００２７】
第１バネ部材３１は、ベース１９の４つの角部分に連結される４つの固定側連結部３１１と、スリーブ１５の後側端縁に連結される円環状の可動側連結部３１２と、固定側連結部３１１と可動側連結部３１２とを接続する４本のアーム部３１３とを備えている。第２バネ部材３２も、第１バネ部材３１と同様な形状を有しており、バネホルダ１８の４つの角部分に連結される４つの固定側連結部３２１と、スリーブ１５の前側端部に連結される円環状の可動側連結部３２２と、固定側連結部３２１と可動側連結部３２２とを接続する４本のアーム部３２３とを備えている。かかる第１バネ部材３１および第２バネ部材３２は、移動体３を光軸方向Ｌに変位可能に支持するとともに、移動体３の光軸周りの回転を阻止する機能を担っている。
【００２８】
本形態において、第２バネ部材３２は、全体が一体として形成されている。これに対して、第１バネ部材３１は、電気的に分離された２枚のバネ片３１ａ、３１ｂからなり、バネ片３１ａ、３１ｂの各々には、バネ片３１ａ、３１ｂとは別体の金属部品からなる給電端子１６が接続されている。従って、バネ片３１ａ、３１ｂにコイル１４１、１４２のコイル端末を電気的に接続すれば、給電端子１６を介してコイル１４１、１４２に給電することができる。
【００２９】
レンズ駆動装置１０は、さらに、スリーブ１５の上端に保持されたリング状の磁性片１５０を備えており、このような磁性片１５０は、マグネット１７との間に作用する吸引力により移動体３に対して光軸方向Ｌの付勢力を印加する磁気バネを構成する。このため、移動体３が無通電時に自重で変位することを防止することができるため、移動体３に所望の姿勢を維持させ、さらに耐衝撃性を向上させることが可能である。また、磁性片１５０は、一種のバックヨークとして作用し、マグネット１７とコイル１４１、１４２との間に構成される磁路からの漏れ磁束を少なくすることができる。なお、磁性片としては、棒状の磁性体が用いられることもある。
【００３０】
（スリーブ１５の構成）
スリーブ１５は略円筒状の樹脂成形品である。スリーブ１５の外周面においては、前側端部には、周方向に連続した円環状突起１５８が形成されており、円環状突起１５８の前端面に第２バネ部材３２の円環状の可動側連結部３２２が連結される。また、円環状突起１５８の前端面およびスリーブ１５の外周面に跨るように、４つの突起１５３が周方向で略等角度間隔に形成されている。
【００３１】
スリーブ１５の外周面において、光軸方向Ｌにおける略中央付近にも、周方向に連続した円環状突起１５７が形成されており、かかる円環状突起１５７から外周側に向けては、４つの突起１５２が周方向で略等角度間隔に形成されている。
【００３２】
スリーブ１５の外周面において、後側端部にも、周方向に連続した円環状突起１５６が形成されており、かかる円環状突起１５６から外周側に向けては、４つの突起１５１が周方向で略等角度間隔に形成されている。かかる円環状突起１５６の下端面に第１バネ部材３１の円環状の可動側連結部３１２が連結される。
【００３３】
このようにしてスリーブ１５の外周面には、円環状突起１５６と円環状突起１５７とによって挟まれた領域にコイル１４１の巻回領域が構成され、円環状突起１５７と円環状突起１５８とによって挟まれた領域にコイル１４２の巻回領域が構成されている。
【００３４】
また、スリーブ１５の外周面で突出した突起１５２によってスリーブ１５（移動体３）の周方向の回転許容範囲を規定するストッパが形成されている。すなわち、移動体３の周りにマグネット１７を配置すると、周方向で隣接するマグネット１７の間に突起１５２が位置するため、スリーブ１５（移動体３）が光軸周りに回転したときには、突起１５２とマグネット１７とが干渉する。
【００３５】
また、スリーブ１５の外周面で突出した突起１５１、１５２によってスリーブ１５（移動体３）の光軸に交差する方向の変位や傾きを規制するストッパが形成されている。すなわち、移動体３をヨーク１１の内側に配置すると、スリーブ１５の突起１５１、１５２と、ヨーク１１の側板部１１２、１１３、１１４、１１５が対向するので、スリーブ１５（移動体３）が光軸に交差する方向に変位したときや傾いたときには、スリーブ１５の突起１５１、１５２とヨーク１１の側板部１１２、１１３、１１４、１１５とが干渉する。
【００３６】
また、スリーブ１５の外周面で突出した突起１５３によってスリーブ１５（移動体３）の前側への可動範囲や傾きを規定するストッパが形成されている。すなわち、移動体３をヨーク１１の内側に配置すると、スリーブ１５の突起１５３と、ヨーク１１の張り出し部１１１ｇ、１１１ｈ、１１１ｉ、１１１ｊとが光軸方向Ｌで重なるため、スリーブ１５（移動体３）が光軸に沿って前側に移動したときや傾いたときには、突起１５３と張り出し部１１１ｇ、１１１ｈ、１１１ｉ、１１１ｊとが干渉する。
【００３７】
（ベース１９の基本的な構成）
図１〜図４に示すように、ベース１９は、略矩形の平板部１９１と、平板部１９１の外周縁から光軸方向Ｌ後側に突出した矩形枠状の側板部１９２と、平板部１９１の外周縁から光軸方向Ｌ前側に突出したリブ状突起１９３とを備えており、リブ状突起１９３には平板部１９１の辺部に相当する位置に切り欠き１９３ａが形成されている。かかるリブ状突起１９３は、ヨーク１１の内周面に当接して、ヨーク１１の位置決めを行なっている。
【００３８】
平板部１９１の中央には、貫通穴からなる矩形の開口部１９０が形成されている。ベース１９の下方側には、開口部１９０に対して光軸方向Ｌに重なる位置に撮像素子６０やフィルター（図示せず）等が配置される。
【００３９】
平板部１９１の光軸方向Ｌ前側の面には、開口部１９０が形成されている略円形の内周側領域１９１ａと、この内周側領域１９１ａの外周縁に段部を介して連接して内周側領域１９１ａよりも光軸方向Ｌ前側に向けて一段高くなった環状領域１９１ｂと、平板部１９１の角部分で環状領域１９１ｂの外周縁に段部を介して連接して環状領域１９１ｂよりも光軸方向Ｌ前側に向けて一段高くなった三角領域１９１ｃとを備えている。
【００４０】
４つの三角領域１９１ｃはいずれも、第１バネ部材３１の固定側連結部３１１が連結される領域である。４つの三角領域１９１ｃの各々には小突起１９１ｅが形成されており、小突起１９１ｅは、第１バネ部材３１の固定側連結部３１１を連結するのに利用される。例えば、第１バネ部材３１の固定側連結部３１１には、小突起１９１ｅが嵌る穴が形成されているので、かかる穴に小突起１９１ｅを嵌めた後、小突起１９１ｅを溶融させれば、第１バネ部材３１の固定側連結部３１１をベース１９に熱溶着することができる。
【００４１】
平板部１９１の光軸方向Ｌ前側の面には、内周側領域１９１ａと環状領域１９１ｂとに跨るように円形の凹部１９１ｆが複数、形成されており、かかる凹部１９１ｆは、スリーブ１５において第１バネ部材３１の可動側連結部３１２を連結するのに用いた小突起（図示せず）と光軸方向Ｌで重なる位置に形成されている。このため、凹部１９１ｆは、スリーブ１５の小突起を受け入れることにより、ベース１９とスリーブ１５とが小突起によって干渉することを阻止する機能を担っている。なお、環状領域１９１ｂには複数の浅い円形の凹部１９１ｇが形成されており、かかる凹部１９１ｇベース１９を樹脂成形する際にイジェクトピンが当接した箇所である。
【００４２】
平板部１９１の光軸方向Ｌ前側の面において、環状領域１９１ｂには、その内周縁に沿うように形成された突部によって計４つのストッパ部１９１ｈが略等角度間隔に形成されており、かかるストッパ部１９１ｈは、周方向に所定寸法、延在した円弧形状を備えている。ここで、ストッパ部１９１ｈは、スリーブ１５の後側端面に形成された突起（図示せず）と光軸方向Ｌで重なる位置に形成されており、スリーブ１５（移動体３）の後側への可動範囲を規定するストッパとして機能する。すなわち、スリーブ１５（移動体３）が光軸に沿って後側に移動したときには、スリーブ１５の突起とストッパ部１９１ｈとが当接し、干渉する。また、ベース１９では、ストッパ部１９１ｈに対して内周側で隣接する位置には、内周側領域１９１ａの外周縁に沿うように塵埃貯留用凹部１９１ｉが形成されている。かかる塵埃貯留用凹部１９１ｉは、光軸方向Ｌ後側に向けて凹んでおり、スリーブ１５の突起とストッパ部１９１ｈとが当接した際に発生する塵埃を捕捉して保持する。ここで、塵埃貯留用凹部１９１ｉも、周方向に所定寸法延在した円弧形状を備えている。
【００４３】
ベース１９の光軸方向Ｌ前側の面において、４つの三角領域１９１ｃのうち、Ｘ方向の一方側（＋Ｘ側）に位置する２つの三角領域１９１ｃにＹ方向で隣接する領域１９１ｓは、三角領域１９１ｃより一段低く、かかる領域１９１ｓには、給電端子１６を保持する小突起１９１ｊが形成されている。すなわち、給電端子１６には小突起１９１ｊが嵌る穴１６２ａが形成されており、穴１６２ａに小突起１９１ｊを嵌めた後、小突起１９１ｊを溶融させれば、２つの給電端子１６を各々ベース１９に熱溶着することができる。また、２つの給電端子１６は各々、第１バネ部材３１を構成するバネ片３１ａ、３１ｂにハンダ等で電気的に接続されており、２つの給電端子１６は各々、バネ片３１ａ、３１ｂを介してコイル１４１、１４２に電気的に接続されている。
【００４４】
（動作）
本形態のレンズ駆動装置１０において、まず、磁気駆動機構５が停止している待機期間中、第１バネ部材３１および第２バネ部材３２の付勢力によって、移動体３は、光軸方向Ｌ後側に位置し、スリーブ１５がベース１９に弾性をもって当接している状態にある。
【００４５】
このような状態において、磁気駆動機構５のコイル１４１、１４２に所定方向の電流を流すと、コイル１４１、１４２は各々、光軸方向Ｌ前側の電磁力を受けることになる。これにより、コイル１４１、１４２が固着されたスリーブ１５は、光軸方向Ｌ前側に移動し始めることになる。このとき、第１バネ部材３１とスリーブ１５の前側端部との間、および第２バネ部材３２とスリーブ１５の後側端部との間には、それぞれスリーブ１５の移動を規制する弾性力が発生する。このため、スリーブ１５を光軸方向Ｌ前側に移動させようとする電磁力と、スリーブ１５の移動を規制する弾性力とが釣り合ったとき、スリーブ１５は停止する。その際、コイル１４１、１４２に流す電流量と、第１バネ部材３１および第２バネ部材３２によってスリーブ１５に働く弾性力とを調整することで、スリーブ１５（移動体３）を所望の位置に停止させることができる。
【００４６】
また、本形態では、弾性力（応力）と変位量（歪み量）との間に線形関係が成立する第１バネ部材３１および第２バネ部材３２を用いていることから、スリーブ１５の移動量とコイル１４１、１４２に流す電流との間のリニアリティを向上させることができる。また、第１バネ部材３１および第２バネ部材３２という２個の弾性部材を用いていることから、スリーブ１５が停止したときに光軸方向Ｌに大きな釣り合いの力が加わることになり、光軸方向Ｌに遠心力や衝撃力等の他の力が働いたとしても、より安定にスリーブ１５を停止させることができる。さらに、レンズ駆動装置１０では、スリーブ１５を停止させるのに、衝突材（緩衝材）等に衝突させて停止させるのではなく、電磁力と弾性力との釣り合いを利用して停止させることとしているので、衝突音の発生を防ぐことも可能である。
【００４７】
（ベース１９への給電端子１６の搭載構造）
図５は、本発明を適用したレンズ駆動装置におけるベース１９への給電端子１６の搭載構造を示す説明図であり、図５（ａ）、（ｂ）、（ｃ）、（ｄ）、（ｅ）は、ベース１９に給電端子１６を搭載した様子を示す平面図、ベース１９に給電端子１６とヨーク１１とを搭載した様子を示す側面図、ベース１９に給電端子１６を搭載した様子をヨーク１１を省略して示す側面図、ベース１９と給電端子１６とを分解して示す側面図、およびベース１９に給電端子１６を搭載した様子を示す底面図である。なお、図５では、給電端子１６についてはグレー領域として示してある。
【００４８】
図６は、本発明を適用したレンズ駆動装置におけるベース１９への給電端子１６の搭載部分を斜め前方からみた様子を示す斜視図であり、図６（ａ）、（ｂ）、（ｃ）は、ベース１９に給電端子１６とヨークとを搭載した様子を示す斜視図、ベース１９に給電端子１６を搭載した様子をヨーク１１を省略して示す斜視図、およびベース１９と給電端子１６とを分解して示す斜視図である。
【００４９】
図７は、本発明を適用したレンズ駆動装置におけるベース１９への給電端子１６の搭載部分を斜め後方からみた様子を示す斜視図であり、図７（ａ）、（ｂ）、（ｃ）は、ベース１９に給電端子１６とヨークとを搭載した様子を示す斜視図、ベース１９に給電端子１６を搭載した様子をヨーク１１を省略して示す斜視図、およびベース１９と給電端子１６とを分解して示す斜視図である。
【００５０】
図５（ｄ）、図６（ｃ）および図７（ｃ）に示すように、２つの給電端子１６はいずれも、同一形状の金属部品から構成されており、ヨーク１１の内側でベース１９の光軸方向Ｌ前側の面上に配置される内部端子部１６０と、内部端子部１６０から延在する端子延在部１６９とを備えている。
【００５１】
内部端子部１６０は、Ｘ方向に延在する細幅の接続部分１６１と、接続部分１６１に連接する略三角形の固定部分１６２とを備えており、２つの給電端子１６は各々、接続部分１６１がバネ片３１ａ、３１ｂにハンダ（図示せず）等で電気的に接続されている（図３（ｂ）参照）。また、固定部分１６２には、ベース１９の小突起１９１ｊが嵌る穴１６２ａが形成されており、２つの給電端子１６は各々、固定部分１６２によってベース１９に固定されている。
【００５２】
端子延在部１６９は、固定部分１６２から光軸方向Ｌ後側に向けて直角に折れ曲がってＹ方向に延在する第１延在部１６３と、第１延在部１６３の端部からさらに光軸方向Ｌ後側に直角に屈曲した第２延在部１６４と、第２延在部１６４の後側端縁からＹ方向に延在する第３延在部１６５と、第３延在部１６５の端部からさらに光軸方向Ｌ後側に直角に屈曲した第４延在部１６６とを備えている。なお、接続部分１６１において、端子延在部１６９の付け根部分には半円形状の切り欠き１６１ａが形成されている。
【００５３】
かかる構成の給電端子１６を搭載するために、ベース１９の外側面１９４において、端子延在部１６９が位置する部分は、径方向内側に凹む溝状凹部１９５になっている。ベース１９において溝状凹部１９５の両側は、溝状凹部１９５において径方向内側に位置する底部１９５ａよりも径方向外側に突出する突部１９８、１９９になっており、突部１９９に対して光軸方向Ｌ後側に隣接する領域は、溝状凹部１９５の底部１９５ａによりもさらに径方向内側に凹んだ凹部１９４ｅになっている。
【００５４】
ベース１９において突部１９８には、溝状凹部１９５においてＸ方向に延在する内側壁１９８ａと、内側壁１９８ａに対して光軸方向Ｌ後側で連接して径方向外側に向く壁面１９８ｂと、壁面１９８ｂの後側端縁で径方向外側に向けて突出して光軸方向Ｌ前側に向く段部１９８ｃとが形成されている。
【００５５】
このように構成したベース１９に対して給電端子１６を搭載するには、図５（ａ）、（ｃ）、図６（ｂ）、および図７（ｂ）に示すように、ベース１９の領域１９１ｓに内部端子部１６０を重ね、固定部分１６２の穴１６２ａにベース１９の小突起１９１ｊを嵌める。その際、端子延在部１６９を溝状凹部１９５に嵌める。その結果、端子延在部１６９は、ベース１９の外側面１９４のうち、溝状凹部１９５の底部１９５ａに当接し、給電端子１６は径方向で位置決めされる。この状態で、給電端子１６の第４延在部１６６は、ベース１９の凹部１９４ｅよりわずかに径方向外側に浮いた状態となる。このようにして、ベース１９に対して給電端子１６を搭載した後、小突起１９１ｊを溶融させて、２つの給電端子１６を各々ベース１９に熱溶着する。次に、２つの給電端子１６と、第１バネ部材３１のバネ片３１ａ、３１ｂとをハンダ等で電気的に接続する。その結果、２つの給電端子１６は各々、バネ片３１ａ、３１ｂを介してコイル１４１、１４２に電気的に接続される。
【００５６】
次に、図５（ｂ）、図６（ａ）および図７（ａ）に示すように、ベース１９に対して光軸方向Ｌ前側にヨーク１１を被せる。その結果、ヨーク１１は、ベース１９のリブ状突起１９３に規定された位置に配置され、ベース１９の光軸方向Ｌ前側および径方向外側に被さって移動体３等を覆った状態となる。また、ヨーク１１の側板部１１２は、給電端子１６の端子延在部１６９の一部を径方向外側で覆った状態となる。但し、給電端子１６の第２延在部１６４の一部、第３延在部１６５、および第４延在部１６６は、ヨーク１１の後側端縁１１９から露出した状態にある。
【００５７】
この状態で、図５（ａ）、（ｅ）に示すように、端子延在部１６９に対して径方向外側には、ヨーク１１の側板部１１２が対向した状態となる。ここで、ヨーク１１の側板部１１２の径方向内側の面は、ベース１９の突部１９９に当接する一方、給電端子１６の端子延在部１６９は、溝状凹部１９５の底部１９５ａに当接し、径方向で位置決めされている。このため、端子延在部１６９の径方向外側の面と、ヨーク１１の側板部１１２の径方向内側の面との間には隙間Ｇが介在し、給電端子１６とヨーク１１との短絡が防止される。但し、ヨーク１１と給電端子１６との間に隙間Ｇが存在していると、異物がヨーク１１の内部に侵入するおそれがある。そこで、本形態では、図５（ｂ）、図６（ａ）および図７（ａ）に太い実線Ｒ１で示すように、ヨーク１１の後側端縁１１９に沿って接着剤Ｒを塗布した後、接着剤Ｒを硬化させ、図１、図５（ｂ）、図６（ａ）および図７（ａ）に示すように、端子延在部１６９とヨーク１１の後側端縁１１９との間に介在する隙間Ｇを封止する。かかる接着剤Ｒとして、本形態では光硬化性接着剤が用いられている。
【００５８】
また、ベース１９にヨーク１１を被せると、ベース１９の外側面１９４において隙間Ｇに対してヨーク１１の後側端縁１１９が延在する方向で隣り合う位置には、ヨーク１１の後側端縁１１９とベース１９の段部１９８ｃとによって、ヨーク１１の後側端縁１１９に沿って延在する接着剤充填溝９７が構成される。ここで、ヨーク１１の後側端縁１１９は、給電端子１６において第１延在部１６３と第２延在部１６４とが形成する直角な屈曲部分１６７と径方向外側に重なる箇所に位置し、かかる屈曲部分１６７の内側まで段部１９８ｃが延在している。このため、接着剤充填溝１９７は、屈曲部分１６７の内側まで延在し、接着剤充填溝１９７と隙間Ｇは、略一直線状に並ぶことになる。そこで、本形態では、隙間Ｇを接着剤Ｒで封止する際、接着剤Ｒの塗布領域を隙間Ｇの長さ寸法よりも延長し、接着剤充填溝１９７内にも接着剤Ｒを充填する。従って、接着剤Ｒは、隙間Ｇを封止する部分と繋がるように接着剤充填溝９７に充填されることになる。それ故、ベース１９の外側面１９４とヨーク１１の後側端縁１１９との間も接着剤Ｒで封止される。
【００５９】
（本形態の主な効果）
以上説明したように、本形態のレンズ駆動装置１０において、給電端子１６は、ヨーク１１の内側に配置された内部端子部１６０と、内部端子部１６０からベース１９の外側面１９４に沿って延在してヨーク１１の後側端縁１１９から外側に引き出された端子延在部１６９とを備え、端子延在部１６９は、ベース１９の外側面１９４に当接して径方向で位置決めされている。このため、給電端子１６をベース１９のスリット内に通す構成と違って、レンズ駆動装置１０の組立時に多大な手間を必要としないので、レンズ駆動装置１０の組立工程を効率よく行なうことができる。また、給電端子１６をスリット内に圧入する構成と違って、スリット内壁が擦れて粉が発生してレンズ１２１や撮像素子６０等に付着する等の不具合の発生を防止することができる。また、給電端子１６をベース１９のスリット内に通す構成と違って、ベース１９の外側面１９４に近い位置に端子延在部１６９が位置するため、端子延在部１６９と配線部材とのハンダ付けを効率よく行なうことができる。さらに、端子延在部１６９は、ベース１９の外側面１９４に当接して径方向で位置決めされているため、端子延在部１６９の近傍にヨーク１１が位置する場合でも、端子延在部１６９とヨーク１１との間に隙間Ｇを確実に確保でき、端子延在部１６９とヨーク１１とが短絡することがない。
【００６０】
また、本形態において、ベース１９の外側面１９４には、ヨーク１１の後側端縁１１９が当接する突部１９９等よりも径方向内側に凹んだ溝状凹部１９５が形成されており、端子延在部１６９は、溝状凹部１９５内で延在しているとともに、溝状凹部１９５の底部１９５ａに当接して径方向で位置決めされている。このため、ヨーク１１を大型化しなくても、給電端子１６をヨーク１１と短絡させることなく外部まで延在させることができる。
【００６１】
また、本形態において、端子延在部１６９に対して径方向外側には、端子延在部１６９との間に隙間Ｇを介してヨーク１１の後側端縁１１９が対向し、隙間Ｇは、接着剤Ｒにより封止されている。このため、給電端子１６とヨーク１１との短絡を阻止するための隙間Ｇを介してヨーク１１の内部に異物が侵入することを接着剤Ｒによって防止することができる。また、給電端子１６とヨーク１１との短絡を接着剤Ｒによって阻止することもできる。
【００６２】
さらに、ベース１９の外側面１９４には、隙間Ｇに対してヨーク１１の後側端縁１１９が延在する方向で隣り合う位置でヨーク１１の後側端縁１１９に沿って延在する接着剤充填溝１９７を構成する段部１９８ｃが形成されており、接着剤Ｒは、隙間Ｇを封止する部分と繋がるように接着剤充填溝１９７に充填されている、このため、隙間Ｇの端部等といった接着剤Ｒで封止しにくい個所であっても、接着剤Ｒによって確実に封止することができる。従って、給電端子１６とヨーク１１の後側端縁１１９との隙間Ｇからヨーク１１の内部に異物が侵入することを確実に防止することができる。特に本形態の給電端子１６において、端子延在部１６９は、ヨーク１１の後側端縁１１９に沿う方向に延在する第１延在部１６３と、第１延在部１６３の先端部から光軸方向Ｌ後側に向けて屈曲して延在する第２延在部１６４とを備えていることから、隙間Ｇの端部は、第１延在部１６３と第２延在部１６４との屈曲部分１６７の内側といった接着剤Ｒを塗布しにくい個所に位置している。しかるに本形態では、接着剤充填溝１９７が第１延在部１６３と第２延在部１６４との屈曲部分１６７の内側まで延在しているため、屈曲部分１６７の内側等といった接着剤Ｒを充填しにくい個所であっても、接着剤Ｒを充填することができる。従って、給電端子１６とヨーク１１の後側端縁１１９との隙間Ｇからヨーク１１の内部に異物が侵入することを確実に防止することができる。
【符号の説明】
【００６３】
２・・支持体
３・・移動体
１０・・レンズ駆動装置
１１・・ヨーク
１５・・スリーブ
１６・・給電端子
１９・・ベース
３１・・第１バネ部材
３２・・第２バネ部材
１１９・・ヨークの後側端縁
１４１、１４２・・コイル
１６９・・端子延在部
１９４・・ヨークの外側面
１９５・・溝状凹部
１９７・・接着剤充填溝
１９８ｃ・・段部
Ｇ・・隙間
Ｒ・・接着剤
【図１】
0005530201.tif 000002
【図２】
0005530201.tif 000003
【図３】
0005530201.tif 000004
【図４】
0005530201.tif 000005
【図６】
0005530201.tif 000006
【図７】
0005530201.tif 000007
【図５】
0005530201.tif 000008